【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
円筒形状を有し、その中心軸の周りに回転される感材または版材に対して、当該中心軸に平行な副走査方向に沿って配置された複数の発光素子からなり当該副走査方向に沿って移動される発光素子列が発するマルチビームを照射することにより描画を行う方法であって、
前記マルチビームを生成するための、複数の画素データが前記副走査方向とは垂直な主走査方向に沿って、かつ各前記発光素子と対応づけられて並列的に配置されたチャンネルパラレルデータに対して、各前記画素データを、当該画素データの前記主走査方向に関する位置に応じたチャンネル数だけ、前記副走査方向とは逆向きにシフトさせることにより、前記副走査方向に沿って生じるスパイラル歪みを補正するステップと、
前記感材または版材に対して、補正済みチャンネルパラレルデータに応じて描画を行うステップとを備える、マルチビーム描画方法。
【請求項２】
円筒形状を有し、その中心軸の周りに回転される感材または版材に対して、当該中心軸に平行な副走査方向に沿って配置された複数の発光素子からなり当該副走査方向に沿って移動される発光素子列が発するマルチビームを照射することにより描画を行うマルチビーム描画装置であって、
前記マルチビームを生成するための、複数の画素データが前記副走査方向とは垂直な主走査方向に沿って、かつ各前記発光素子と対応づけられて並列的に配置されたチャンネルパラレルデータに対して、各前記画素データを、当該画素データの前記主走査方向に関する位置に応じたチャンネル数だけ、前記副走査方向とは逆向きにシフトさせることにより、前記副走査方向に沿って生じるスパイラル歪みを補正する補正手段と、
前記感材または版材に対して、前記補正手段が補正して得られた補正済みチャンネルパラレルデータに応じて描画を行う描画手段とを備える、マルチビーム描画装置。
【請求項３】
円筒形状を有し、その中心軸の周りに回転される感材または版材に対して、当該中心軸に平行な副走査方向に沿って配置された複数の発光素子からなり当該副走査方向に沿って移動される発光素子列が発するマルチビームを照射することにより描画を行うマルチビーム描画装置において実行されるプログラムを記録した記録媒体であって、
前記マルチビームを生成するための、複数の画素データが前記副走査方向とは垂直な主走査方向に沿って、かつ各前記発光素子と対応づけられて並列的に配置されたチャンネルパラレルデータに対して、各前記画素データを、当該画素データの前記主走査方向に関する位置に応じたチャンネル数だけ、前記副走査方向とは逆向きにシフトさせることにより、前記副走査方向に沿って生じるスパイラル歪みを補正するステップと、
前記感材または版材に対して、補正済みチャンネルパラレルデータに応じて描画を行うステップとを備える動作環境を、前記マルチビーム描画装置上で実現するためのプログラムを記録した、記録媒体。
【請求項４】
前記補正手段は、前記複数の発光素子の数がｎ個であり、前記画素データが主走査方向にｍピクセルであるときに、前記複数の画素データを、主走査方向にｉｎｔ（ｍ／ｎ）ピクセル（但し、ｉｎｔ（ｍ／ｎ）はｍ／ｎを越えない最大の整数）毎に副走査方向とは逆向きに順次１ピクセルずつシフトさせる手段であることを特徴とする請求項２記載のマルチビーム描画装置。
【手続補正２】
【補正対象書類名】明細書
【補正対象項目名】０００９
【補正方法】変更
【補正の内容】
【０００９】
【課題を解決するための手段および発明の効果】
第１の発明は、筒形状を有し、その中心軸の周りに回転される感材または版材に対して、当該中心軸に平行な副走査方向に沿って配置された複数の発光素子からなり当該副走査方向に沿って移動される発光素子列が発するマルチビームを照射することにより描画を行う方法であって、
マルチビームを生成するための、複数の画素データが副走査方向とは垂直な主走査方向に沿って、かつ各発光素子と対応づけられて並列的に配置されたチャンネルパラレルデータに対して、各画素データを、当該画素データの主走査方向に関する位置に応じたチャンネル数だけ、副走査方向とは逆向きにシフトさせることにより、副走査方向に沿って生じるスパイラル歪みを補正するステップと、
感材または版材に対して、補正済みチャンネルパラレルデータに応じて描画を行うステップとを備えている。
【手続補正３】
【補正対象書類名】明細書
【補正対象項目名】００１１
【補正方法】変更
【補正の内容】
【００１１】
第２の発明は、円筒形状を有し、その中心軸の周りに回転される感材または版材に対して、当該中心軸に平行な副走査方向に沿って配置された複数の発光素子からなり当該副走査方向に沿って移動される発光素子列が発するマルチビームを照射することにより描画を行うマルチビーム描画装置であって、
マルチビームを生成するための、複数の画素データが副走査方向とは垂直な主走査方向に沿って、かつ各発光素子と対応づけられて並列的に配置されたチャンネルパラレルデータに対して、各画素データを、当該画素データの主走査方向に関する位置に応じたチャンネル数だけ、副走査方向とは逆向きにシフトさせることにより、副走査方向に沿って生じるスパイラル歪みを補正する補正手段と、
感材または版材に対して、補正手段が補正して得られた補正済みチャンネルパラレルデータに応じて描画を行う描画手段とを備えている。
【手続補正４】
【補正対象書類名】明細書
【補正対象項目名】００１３
【補正方法】変更
【補正の内容】
【００１３】
第３の発明は、円筒形状を有し、その中心軸の周りに回転される感材または版材に対して、当該中心軸に平行な副走査方向に沿って配置された複数の発光素子からなり当該副走査方向に沿って移動される発光素子列が発するマルチビームを照射することにより描画を行うマルチビーム描画装置において実行されるプログラムを記録した記録媒体であって、
マルチビームを生成するための、複数の画素データが副走査方向とは垂直な主走査方向に沿って、かつ各発光素子と対応づけられて並列的に配置されたチャンネルパラレルデータに対して、各画素データを、当該画素データの主走査方向に関する位置に応じたチャンネル数だけ、副走査方向とは逆向きにシフトさせることにより、副走査方向に沿って生じるスパイラル歪みを補正するステップと、
感材または版材に対して、補正済みチャンネルパラレルデータに応じて描画を行うステップとを備える動作環境を、マルチビーム描画装置上で実現するためのプログラムを記録している。
【手続補正５】
【補正対象書類名】明細書
【補正対象項目名】００１４
【補正方法】変更
【補正の内容】
【００１４】
上記第３の発明によれば、スパイラル歪みを生じさせることなく、マルチビーム描画を行うことができる。しかも、マルチビームを生成するためのチャンネルパラレルデータに対して、そこに含まれる各画素データを副走査方向に沿ってシフトさせているので、画像が主走査方向に対して傾斜することがない。
また、第４の発明においては、補正手段は、複数の発光素子の数がｎ個であり、画素データが主走査方向にｍピクセルであるときに、複数の画素データを、主走査方向にｉｎｔ（ｍ／ｎ）ピクセル（但し、ｉｎｔ（ｍ／ｎ）はｍ／ｎを越えない最大の整数）毎に副走査方向とは逆向きに順次１ピクセルずつシフトさせる手段であってもよい。
【手続補正６】
【補正対象書類名】明細書
【補正対象項目名】００３１
【補正方法】変更
【補正の内容】
【００３１】
ＬＤチャンネルドライバ２５は、スパイラル補正部２４からの補正済みチャンネルパラレルデータに応じて、第１〜第ｎＬＤ１２ａを駆動する。第１〜第ｎセンサ２６は、それぞれ第１〜第ｎＬＤ１２ａからのビームを検知する。ヘッド速度調整部２７は、ＣＰＵ２８の指示を受け、光学ヘッド駆動用モータ１３を制御して、マルチチャンネル光学ヘッド１２の移動速度を調整する。
【手続補正７】
【補正対象書類名】明細書
【補正対象項目名】００４７
【補正方法】変更
【補正の内容】
【００４７】
ラインバッファ２２ａから読み出されたシリアルデータは、シリアル／チャンネルパラレルコンバータ２３によって、マルチビーム（ここでは８チャンネルビーム）によるスパイラル描画に適したチャンネルパラレルデータに変換される。変換して得られたチャンネルパラレルデータは、スパイラル補正部２４へと与えられ、そこでスパイラル補正される。すなわち、主走査方向Ｙに８０ピクセルのデータ長を持つチャンネルパラレルデータは、主走査方向Ｙに沿って１０ピクセル毎に、副走査方向Ｘとは逆向きに１チャンネルずつ、順次シフトされる。
【手続補正８】
【補正対象書類名】明細書
【補正対象項目名】００４８
【補正方法】変更
【補正の内容】
【００４８】
スパイラル補正済みのチャンネルパラレルデータは、ＬＤチャンネルドライバ２５へと与えられる。ＬＤチャンネルドライバ２５は、与えられたデータに応じて、破損した第２ＬＤと放棄された第１ＬＤとを除く８個のＬＤ１２ａで構成される有効ＬＤ列、すなわち第３〜第１０ＬＤ１２ａを駆動する。第３〜第１０ＬＤ１２ａから発せられたビームは、レンズ１２ｂによって収束され、版材駆動用モータ１１によって駆動されて一定速度で回転する版材１０上において結像する。一方、マルチチャンネル光学ヘッド１２は、上記のようにして初期設定された光学ヘッド駆動用モータ１３によって駆動され、８チャンネルによるスパイラル描画に適した速度で副走査方向Ｘに沿って移動していく。それにより、感材上には２次元画像が描かれていく。